(57)【要約】【課題】設定項目を変更してから、すぐに撮像を行うことができる撮像装置を提供する。【解決手段】レリーズボタン４０１と、設定項目の設定条件を変更するための条件変更情報を含む設定条件変更画面を表示する表示モニタ３０１と、設定条件画面を表示モニタ３０１に表示するために操作される設定ボタン４０４と、設定項目を変更するレリーズスイッチ４０２と、設定条件画面に表示される設定条件を変更するダイヤルスイッチ４０３とを備え、設定ボタン４０４、レリーズスイッチ４０２およびダイヤルスイッチ４０３は、レリーズボタン４０１を操作しようとするカメラ把持状態において、ユーザの指でそれぞれ操作することができる位置に配置されている。【選択図】図１
2009003176.tif 000002
【特許請求の範囲】
【請求項１】
レリーズボタンと、
設定項目の設定条件を変更するための条件変更情報を含む設定条件変更画面を表示する表示器と、
前記設定条件画面を前記表示器に表示するために操作される第１の操作部材と、
前記設定項目を変更する第２の操作部材と、
前記設定条件画面に表示される前記設定条件を変更する第３の操作部材とを備え、
前記第１乃至第３の操作部材は、前記レリーズボタンを操作しようとするカメラ把持状態において、ユーザの指でそれぞれ操作することができる位置に配置されていることを特徴とする撮像装置。
【請求項２】
請求項１に記載の撮像装置において、
前記第２の操作部材および前記第３の操作部材は、背面から見て右側に設けられていることを特徴とする撮像装置。
【請求項３】
請求項２に記載の撮像装置において、
前記第２の操作部材は、ズームレバーであることを特徴とする撮像装置。
【請求項４】
請求項３に記載の撮像装置において、
前記第２の操作部材は、前記レリーズボタンと一体的に設けられていることを特徴とする撮像装置。
【発明の詳細な説明】
【技術分野】
【０００１】
本発明は、撮像装置に関する。
【背景技術】
【０００２】
従来から、各種設定を行うための複数のボタンを背面に備えた電子スチルカメラが知られている（たとえば、特許文献１参照）。それぞれのボタンには、各種設定項目が割り当てられており、ボタンを押しながら、背面に設けられたダイヤルスイッチを操作することによって、そのボタンに割り当てられた設定項目の内容を変更することができる。
【特許文献１】特開２００１−２１１３６６号公報
【発明の開示】
【発明が解決しようとする課題】
【０００３】
電子スチルカメラの設定項目の数は多いので、背面に多くのボタンを配置することになる。このため、操作しにくい位置に配置されたボタンに割り当てられた設定項目を変更する場合、電子スチルカメラを構えた状態から、電子スチルカメラを持ち替えて設定操作をしなければならない。したがって、電子スチルカメラを構えながら設定項目を変更できないという問題点がある。
【課題を解決するための手段】
【０００４】
（１）請求項１の発明の撮像装置は、レリーズボタンと、設定項目の設定条件を変更するための条件変更情報を含む設定条件変更画面を表示する表示器と、設定条件画面を表示器に表示するために操作される第１の操作部材と、設定項目を変更する第２の操作部材と、設定条件画面に表示される設定条件を変更する第３の操作部材とを備え、第１乃至第３の操作部材は、レリーズボタンを操作しようとするカメラ把持状態において、ユーザの指でそれぞれ操作することができる位置に配置されていることを特徴とする。
（２）請求項２の発明は、請求項１に記載の撮像装置において、第２の操作部材および第３の操作部材は、背面から見て右側に設けられていることを特徴とする。
（３）請求項３の発明は、請求項２に記載の撮像装置において、第２の操作部材は、ズームレバーであることを特徴とする撮像装置。
（４）請求項４の発明は、請求項３に記載の撮像装置において、第２の操作部材は、レリーズボタンと一体的に設けられていることを特徴とする。
【発明の効果】
【０００５】
本発明によれば、設定項目を変更するにあたって、撮像装置を持ち替える必要がない。
【発明を実施するための最良の形態】
【０００６】
以下、図を参照して本発明の実施の形態を説明する。図１は本発明の撮像装置の実施形態による電子カメラ１を斜め後方から見た図である。図１（ａ）に示すように、電子カメラ１の上面には、撮影動作を行わせるためのレリーズボタン４０１と、広角望遠を操作するためのレバースイッチ４０２と、回動可能なダイヤルスイッチ４０３とが設けられている。レバースイッチ４０２は、図２に示すように、右回転方向および左回転方向に可動する。右回転方向にレバースイッチ４０２を操作すると撮影レンズの焦点距離は大きくなってズームアップし、左回転方向にレバースイッチ４０２を操作すると焦点距離は小さくなってズームダウンする。
【０００７】
レリーズボタン４０１は、電子カメラ１を構えたとき、右手の人差指で操作しやすくするため、背面から見て電子カメラ１の上面右側の正面寄りに設けられる。レバースイッチ４０２は、同じく右手の人差指で操作しやすくするため、背面から見て電子カメラ１の上面右側の正面寄りに設けられており、レリーズボタン４０１と一体的に設けられている。ダイヤルスイッチ４０３は、右手の親指で回転操作しやすくするため、背面から見て電子カメラ１の上面右側の背面寄りに設けられる。
【０００８】
電子カメラ１の背面には、表示モニタ３０１と、各種設定項目について設定を開始するための設定ボタン４０４と、親指載せ部１１，１２とが設けられている。表示モニタ３０１には、後述するＣＣＤ１０２により撮像された被写体像が表示モニタ３０１にスルー画として逐次表示される。また、表示モニタ３０１には、各種設定項目の設定を行うための表示画面が表示される。
【０００９】
設定ボタン４０４は、電子カメラ１を構えたとき、左手の親指で操作しやすくするため、電子カメラ１の背面左側の上方寄りに設けられる。
【００１０】
電子カメラ１の右側には、電子カメラ１を把持しやすくするため、グリップ１３が設けられている。
【００１１】
図３は、電子カメラ１の構成を示すブロック図である。本実施の形態の電子カメラ１は、ＣＣＤ撮像素子１０２を有する撮像部１００、システムＬＳＩ２０１を主体とするデジタル回路部２００、画像再生部３００および操作部４００等により構成されている。また、メモリカード５００は電子カメラ１に対して着脱自在に設けられている。ＣＣＤ撮像素子１０２は複数の画素が二次元的に配設されたエリア型の撮像素子であり、ＣＣＤ撮像素子１０２の撮像面上には撮影光学系１０１により被写体像が結像される。本実施形態では、撮像素子としてＣＣＤ型の撮像素子を例に説明するが、ＣＭＯＳ型の撮像素子などでもよい。ＣＣＤ撮像素子１０２上に結像する被写体像は光電変換され、被写体像に応じた電気信号がＣＣＤ撮像素子１０２からアナログ信号処理回路１０３に入力される。
【００１２】
アナログ信号処理回路１０３はＡＧＣ（利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１０４によってデジタル信号に変換され、デジタル回路部２００のシステムＬＳＩ２０１に入力される。ＴＧ（タイミングジェネレータ）回路１０５はＣＣＤ撮像素子１０２，アナログ信号処理回路１０３およびＡ／Ｄ変換回路１０４のそれぞれに動作タイミング信号を出力し、これらの間の動作タイミングを制御する。
【００１３】
デジタル回路部２００のシステムＬＳＩ２０１では、Ａ／Ｄ変換回路１０４から入力されたデジタル画像データに対して、画像サイズ変更、ホワイトバランス処理、ガンマ補正等のデジタル信号処理およびデータ圧縮処理などが行われる。プログラムメモリを構成するＲＯＭ２０３にはこれらの処理に関するプログラムや電子カメラ全体の制御プログラムが記憶されており、不図示のメインスイッチがオンされるとシステムＬＳＩ２０１により制御プログラムが実行される。画像メモリを構成するＲＡＭ２０２は、撮像部１００から入力された画像データの一時記憶や各種画像処理や画像圧縮／伸張処理の際のバッファメモリとして利用される。
【００１４】
画像再生部３００には、上述した表示モニタ３０１と、その表示モニタ３０１の駆動制御を行うモニタコントローラ３０２とが設けられている。操作部４００には、上述したレリーズボタン４０１、レバースイッチ４０２、ダイヤルスイッチ４０３および設定ボタン４０４などで構成される。
【００１５】
次に、本発明の実施形態における設定項目の設定操作について、図４〜図７を参照して説明する。ＩＳＯ感度の設定と、画質の設定（記録する画像の圧縮率の設定）を例に挙げて説明する。
【００１６】
ユーザが電子カメラ１を構えているとき、図４に示すように、右手の人差指はレリーズボタン４０１に触れ、右手の親指および左手の親指は親指載せ部１１，１２に載せられている。表示モニタ３０１には、スルー画が表示されている。
【００１７】
ＩＳＯ感度の設定を行う場合、図５に示すように、ユーザは、電子カメラ１を持ち替えずに、左手の親指の位置を親指載せ部１２からずらして、設定ボタン４０４を押圧する。その結果、図６に示すように、表示モニタ３０１には、ＩＳＯ感度設定画面６０が表示される。ＩＳＯ感度設定画面６０は、設定ボタン４０４が押圧されていなければ表示されない。したがって、設定ボタン４０４の押圧を止めると、表示モニタ３０１の表示画面にはスルー画が表示される。
【００１８】
ＩＳＯ感度設定画面６０には、被写体の明るさによって自動的にＩＳＯ感度を設定する「オート」、ＩＳＯ感度の値である「５０」、「１００」、「２００」、「４００」のそれぞれの文字で表示された設定候補６１およびカーソル６２が表示される。また、レバースイッチ４０２の操作によってＩＳＯ感度設定から切り替わる設定項目６３ａ，６３ｂも表示される。カーソル６２はダイヤルスイッチ４０３の回動操作によって上下に移動する。カーソル６２を所望の設定候補６１に重ねた上で確定操作を行うことによって、ユーザは所望のＩＳＯ感度を設定できる。
【００１９】
図５に示すように、右手の親指の位置を親指載せ部１１からずらして、ダイヤルスイッチ４０３に触れ、ダイヤルスイッチ４０３を回転操作することができる。したがって、ダイヤルスイッチ４０３を操作するために、電子カメラ１を持ち替える必要はない。
【００２０】
ＩＳＯ感度を「５０」に設定する場合は、図６に示すように、カーソル６２を「５０」の設定候補６１に重畳させる。そして、設定ボタン４０４の押圧を止めて確定操作を行うと、ＩＳＯ感度が「５０」に設定される。
【００２１】
次に画質の設定を行う場合、図５に示すように設定ボタン４０４を押圧し、図６に示すＩＳＯ感度設定画面６０を表示モニタ３０１に表示させる。そして、設定ボタン４０４を押圧しながらレバースイッチ４０２を右回転方向に動かし、図７に示す画像設定画面７０を表示モニタ３０１に表示させる。設定ボタン４０４を押圧しないでレバースイッチ４０２を操作すると、上述したように撮影光学系１０１の広域望遠の動作が行われる。
【００２２】
図５に示すように、右手の人差指の位置をレリーズボタン４０１からずらしてレバースイッチ４０２に触れ、レバースイッチ４０２を操作することができる。したがって、レバースイッチ４０２を操作するために、電子カメラ１を持ち替える必要はない。
【００２３】
画質設定画面７０には、画像の圧縮率を大きく設定する「ＦＩＮＥ」、画像の圧縮率を中位に設定する「ＮＯＲＭＡＬ」、画像の圧縮率を小さく設定する「ＢＡＳＩＣ」のそれぞれの文字で表示された設定候補７１およびカーソル７２が表示される。ＩＳＯ感度設定画面６０と同様に、カーソル７２はダイヤルスイッチ４０３の回動操作によって上下に移動する。カーソル７２を所望の設定候補７１に重ねて確定操作を行うことによって、ユーザは所望の画質に設定できる。
【００２４】
画質設定画面７０も、設定ボタン４０４が押圧されていなければ表示されない。したがって、設定ボタン４０４の押圧を止めると、表示モニタ３０１の表示画面にはスルー画が表示される。
【００２５】
画質を「ＮＯＲＭＡＬ」に設定する場合は、図７に示すように、カーソル７２を「ＮＯＬＭＡＬ」の設定候補７１に重畳させる。そして、設定ボタン４０４の押圧を止めて確定操作を行うと、画質が「ＮＯＲＭＡＬ」に設定される。
【００２６】
ＩＳＯ感度および画質の設定が終了した後、右手の人差指をレバースイッチ４０２の位置からずらしてレリーズボタン４０１に触れ、右手の親指をダイヤルスイッチ４０３の位置からずらして親指載せ部１１に載せ、左手の親指を設定ボタン４０４の位置からずらして親指載せ部１２に載せる。その結果、図４に示すように、ユーザが電子カメラ１を構えているときの電子カメラ１の持ち方になる。したがって、ＩＳＯ感度および画質の設定が終了した後、電子カメラ１を持ち替えることなく、撮影を開始できる。
【００２７】
設定ボタン４０４を押圧しながら、レバースイッチ４０２を操作することによって、ＩＳＯ感度および画質以外の設定項目に係る表示画面を表示させることができる。そして、それぞれの設定項目に係る表示画面を表示させた後、ダイヤルスイッチ４０３を操作し、設定ボタン４０４の押圧を止めることによって、ＩＳＯ感度および画質以外の設定項目も設定できる。
【００２８】
以上説明した実施形態によれば、次の作用効果が得られる。
（１）各種項目を設定する設定画面６０，７０を表示モニタ３０１に表示するための設定ボタン４０４、設定画面６０，７０として表示される設定項目６３ａ，６３ｂ，７３ａ，７３ｂを変更するレバースイッチ４０２、設定画面６０，７０に表示された設定候補６１，７１の中から所望の設定候補を選択６２，７２するためのダイヤルスイッチ４０３を電子カメラ１に設けた。そして、電子カメラ１の背面の中心を基準として背面左側の上方寄りに設定ボタン４０４を、電子カメラ１の上面の中心を基準として背面側から見て上面右側の正面寄りにレバースイッチ４０２を、電子カメラ１の上面の中心を基準として背面側から見て上面右側の背面寄りにダイヤルスイッチ４０３を設けるようにした。これにより、撮影のために電子カメラ１を構えた状態から、電子カメラ１を持ち替えることなく設定項目の設定を行うことができる。さらに、設定項目の設定を終了した後、電子カメラ１を持ち替えることなく、撮影を行うことができる。したがって、撮影しながらの設定項目変更を素早く操作でき、撮影機会を逃すことなく同じ被写体をいろいろな設定で撮影することができる。
【００２９】
（２）設定ボタン４０４、レバースイッチ４０２およびダイヤルスイッチ４０３を操作して、各種設定項目の設定を変更することができる。このため、各種設定項目を割り当てたボタンを設ける必要がないので、電子カメラ１に設けるボタンやスイッチの数を少なくすることができる。これにより、電子カメラ１の背面のレイアウトを単純にすることができ、ユーザはどのボタンを操作すればよいか迷うことがなくなる。
【００３０】
（３）設定ボタン４０４が押圧されているか否かによって、レバースイッチ４０２の機能が、ズームレバーとしての機能（広角望遠の機能）と、設定項目を変更する機能との間で切り替わるようにした。したがって、同じスイッチ４０２に２つの機能を割り当てることができ、電子カメラ１に設けるボタンやスイッチの数を少なくすることができる。
【００３１】
（４）設定を行う設定項目を変更するレバースイッチ４０２をレリーズボタン４０１と一体的に設けるようにした。したがって、設定項目の設定から撮影を行うときの人差指の移動距離が短くなり、設定項目を変更する操作を行った後、速やかに撮影動作を行うことができる。
【００３２】
（５）レバースイッチ４０２、ダイヤルスイッチ４０３および設定ボタン４０４のうち、背面から見て電子カメラ１の右側に設けるようにした。したがって、一般的に利き腕である右手でレバースイッチ４０２およびダイヤルスイッチ４０３の回転操作を行うので、左手で操作するのに比べて設定項目の変更操作を容易に行うことができる。
【００３３】
以上の実施形態を次のように変形することができる。
（１）レバースイッチ４０２を操作することによって設定する設定項目を変更するようにしたが、２つの対象から１つの対象を選択指示できる操作部材であれば、レバースイッチ４０２に限定されない。たとえば、２つのボタンを用いてもよい。図６のＩＳＯ感度設定画面６０を例に挙げて説明すると、一方のボタンを押圧すると、ホワイトバランス６３ａを設定するための表示画面が表示され、他方のボタンを押圧すると画質６３ｂを設定する表示画面が表示されるようにしてもよい。また、ダイヤルスイッチを用いてもよい。図６のＩＳＯ感度設定画面６０を例に挙げて説明すると、ダイヤルスイッチを右回転させると、ホワイトバランス６３ａを設定するための表示画面が表示され、ダイヤルスイッチを左回転させると画質６３ｂを設定する表示画面が表示されるようにしてもよい。
【００３４】
（２）ダイヤルスイッチ４０３を操作することによって、設定画面６０，７０に表示された設定候補６１，７１の中から所望の候補を選択できるようにした。しかし、２つの対象から１つの対象を選択指示できる操作部材であれば、ダイヤルスイッチ４０３に限定されない。たとえば、２つのボタンを用いてもよい。図６のＩＳＯ感度設定画面６０を例に挙げて説明すると、一方のボタンを押圧すると、カーソル６２がひとつ上方に移動し、他方のボタンを押圧するとカーソルがひとつ下方に移動するようにしてもよい。また、レバースイッチを用いてもよい。ＩＳＯ感度設定画面６０を例に挙げて説明すると、レバースイッチを左回転方向に移動すると、ホワイトバランス６３ａを設定するための表示画面が表示され、レバースイッチを右回転方向に移動すると、画質６３ｂを設定する表示画面が表示されるようにしてもよい。
【００３５】
（３）レリーズボタン４０１を操作しようとするカメラ把持状態において、ユーザの指でそれぞれ操作することができる位置に配置されていれば、レバースイッチ４０２、ダイヤルスイッチ４０３および設定ボタン４０４が配置される位置は実施形態に限定されない。この場合も、撮影しながらの設定項目変更を素早く操作でき、撮影機会を逃すことなく同じ被写体をいろいろな設定で撮影することができる。
【００３６】
たとえば、図８（ａ）の電子カメラ１Ａに示すように、ダイヤルスイッチ４０３Ａを、電子カメラ１の中心を基準として正面左側の上方寄りに設けるようにしてもよい。電子カメラ１を構えている状態で、レリーズボタン４０１に触れている右手の人差指をずらして、ダイヤルスイッチ４０３Ａを操作することができる。このため、ダイヤルスイッチ４０３Ａを操作するために電子カメラ１Ａを持ち替える必要がない。このとき、右手の人差指でレバースイッチ４０２とダイヤルスイッチ４０３Ａとを操作することになるが、レバースイッチ４０２とダイヤルスイッチ４０３Ａとを同時に操作することはないので問題ない。
【００３７】
また、ダイヤルスイッチを、電子カメラの中心を基準として背面右側の上方寄りに設けるようにしてもよい。電子カメラを構えている状態で、親指載せ部に載せている右手の親指をずらして、ダイヤルスイッチを操作することができる。このため、ダイヤルスイッチを操作するために電子カメラを持ち替える必要はない。
【００３８】
図８（ａ）の電子カメラ１Ａに示すように、設定ボタン４０４Ａを、電子カメラ１Ａの正面の中心を基準として正面右側の上方寄りに設けるようにしてもよい。電子カメラ１Ａを構えている状態で、電子カメラ１Ａを支えている左手の人差指で設定ボタン４０４Ａを操作することができる。このため、設定ボタン４０４Ａを操作するために電子カメラ１Ａを持ち替える必要がない。
【００３９】
図８（ｂ）の電子カメラ１Ｂに示すように、レバースイッチ４０２Ａを、電子カメラ１Ｂの背面の中心を基準として背面右側の上方寄りに設けるようにしてもよい。電子カメラ１Ｂを構えている状態で、親指載せ部１１に載せている右手の親指をずらして、レバースイッチ４０２Ａを操作することができる。このため、レバースイッチ４０２Ａを操作するために電子カメラ１Ｂを持ち替える必要がない。このとき、右手の親指でレバースイッチ４０２Ａとダイヤルスイッチ４０３とを操作することになるが、レバースイッチ４０２Ａとダイヤルスイッチ４０３とを同時に操作することはないので問題ない。
【００４０】
電子カメラ１Ｂの中には、電子カメラ１Ｂを構えるとき、左手の人差指と親指で電子カメラ１Ｂの上下を挟んで電子カメラ１Ｂを保持するものもある。このような電子カメラ１Ｂの場合、図８（ｂ）に示すように、電子カメラ１Ｂの上面の中心を基準として背面側から見て上面左側に設定ボタン４０４Ｂを設けるようにしてもよい。電子カメラ１Ｂを構えている状態で、電子カメラ１を保持している左手の人差指をずらして、設定ボタン４０４Ｂを押圧することができる。このため、設定ボタン４０４Ｂを押圧するために電子カメラ１Ｂを持ち替える必要はない。
【００４１】
（４）電子カメラ１の背面から見て、レバースイッチ４０２およびダイヤルスイッチ４０３を電子カメラ１の右側に設け、設定ボタン４０４を左側に設けた。しかし、レリーズボタン４０１を操作しようとするカメラ把持状態において、ユーザの指でそれぞれ操作することができる位置に配置されていれば、レバースイッチ４０２、ダイヤルスイッチ４０３および設定ボタン４０４が配置される電子カメラにおける左右の位置は実施形態に限定されない。この場合も、撮影しながらの設定項目変更を素早く操作でき、撮影機会を逃すことなく同じ被写体をいろいろな設定で撮影することができる。
【００４２】
図９（ａ）の電子カメラ１Ｃに示すように、ダイヤルスイッチ４０３Ｂを、電子カメラ１Ｃの背面側から見て左側に設けるようにしてもよい。左手の親指による操作が競合しないようにするため設定ボタン４０４Ａは電子カメラ１Ｃの正面側に設けられている。電子カメラ１Ｃを構えている状態で、親指載せ部１２に載せている左手の親指をずらして、ダイヤルスイッチ４０３Ｂを操作することができる。このため、ダイヤルスイッチ４０３Ｂを操作するために電子カメラ１Ｃを持ち替える必要はない。
【００４３】
また、図９（ｂ）の電子カメラ１Ｄに示すように、レバースイッチ４０２Ｂを、電子カメラ１Ｄの背面側から見て左側に設けるようにしてもよい。電子カメラ１Ｄを構えている状態で、電子カメラ１Ｄを支えている人差指でレバースイッチ４０２Ｂを操作することができる。このため、レバースイッチ４０２Ｂを操作するために電子カメラ１Ｄを持ち替える必要はない。
【００４４】
（５）電子カメラ１を手で把持しやすくするためにグリップ１３を設けた電子カメラ１の場合、グリップを握った状態で操作することのできる位置であれば、レバースイッチ４０２およびダイヤルスイッチ４０３の位置は実施形態に限定されない。
【００４５】
（６）レバースイッチ４０２を操作することによって設定画面６０，７０として表示される設定項目６３ａ，６３ｂ，７３ａ，７３ｂを変更し、ダイヤルスイッチ４０３を操作することによって設定画面６０，７０に表示された設定候補６１，７１の中から所望の候補を選択できた。しかし、図１０の電子カメラ１Ｅに示すように、上下左右を指示できる十字方向スイッチ４０５を操作することによって、設定画面６０，７０として表示される設定項目６３ａ，６３ｂ，７３ａ，７３ｂを変更し、設定画面６０，７０に表示された設定候補６１，７１の中から所望の設定候補を選択するようにしてもよい。右手の親指で十字方向スイッチ４０５を操作することが好ましいので、電子カメラ１Ｅの背面の中心を基準として背面右側の上方寄りに十字方向スイッチ４０５を設ける。電子カメラ１Ｅを構えている状態で、親指載せ部１１に載せている右手の親指をずらして、十字方向スイッチ４０５を操作することができる。このため、十字方向スイッチ４０５を操作するために電子カメラ１Ｅを持ち替える必要はない。
【００４６】
設定ボタン４０４を押圧しながら、十字方向スイッチ４０５で左右を指示すると、設定画面６０，７０として表示される設定項目６３ａ，６３ｂ，７３ａ，７３ｂが変更される。設定ボタン４０４を押圧しながら、十字方向スイッチ４０５で上下を指示すると、カーソル６２，７２が上下し、設定画面６０，７０に表示された設定候補６１，７１の中から所望の候補を選択できる。
【００４７】
（７）設定ボタン４０４を押圧することによって表示モニタ３０１に表示される画面は、設定項目の設定条件を変更するための条件変更情報を含む設定条件変更画面であれば、ＩＳＯ感度設定画面６０あるいは画像設定画面７０に限定されない。また、レバースイッチ４０２を操作することによって変更できる設定項目は、ＩＳＯ感度の設定、あるいは、画質の設定には限定されない。
【００４８】
（８）撮像装置であれば、電子カメラ１に限定されない。
【００４９】
以上の説明はあくまで一例であり、本発明は上記実施形態の構成に何ら限定されるものではない。
【図面の簡単な説明】
【００５０】
【図１】本発明の一実施の形態による撮像装置を後方から見た図である。
【図２】レバースイッチを説明するための図である。
【図３】本発明の一実施の形態による撮像装置の構成を説明するためのブロック図である。
【図４】撮像を行うときの撮像装置の持ち方を説明するための図である。
【図５】設定項目を設定するときの撮像装置の持ち方を説明するための図である。
【図６】ＩＳＯ感度設定画面を説明するための図である。
【図７】画質設定画面を説明するための図である。
【図８】リレースイッチ、ダイヤルスイッチおよび設定ボタンの配置の変形例を説明するための図である。
【図９】リレースイッチ、ダイヤルスイッチおよび設定ボタンの配置の変形例を説明するための図である。
【図１０】十字方向スイッチを設けた撮像装置を説明するための図である。
【符号の説明】
【００５１】
１，１Ａ〜１Ｅ  撮像装置
３０１  表示モニタ
４００  操作部
４０１  レリーズボタン
４０２，４０２Ａ，４０２Ｂ  レバースイッチ
４０３，４０３Ａ，４０３Ｂ  ダイヤルスイッチ
４０４，４０４Ａ  設定ボタン
４０５  十字方向スイッチ
【図１】
2009003176.tif 000003
【図２】
2009003176.tif 000004
【図３】
2009003176.tif 000005
【図４】
2009003176.tif 000006
【図５】
2009003176.tif 000007
【図６】
2009003176.tif 000008
【図７】
2009003176.tif 000009
【図８】
2009003176.tif 000010
【図９】
2009003176.tif 000011
【図１０】
2009003176.tif 000012